【手続補正書】
【提出日】平成16年4月28日(2004.4.28)
【手続補正１】
【補正対象書類名】明細書
【補正対象項目名】００３０
【補正方法】変更
【補正の内容】
【００３０】
図１は画像処理装置の構成を示す図である。放射線発生器３０はコントローラ１０によって制御され、放射線発生器３０から放射された放射線は、被写体５を通して放射線画像読取器４０内の前面に装着されている撮像パネルに照射される。
【手続補正２】
【補正対象書類名】明細書
【補正対象項目名】００３５
【補正方法】変更
【補正の内容】
【００３５】
読取制御部４８はコントローラ１０と接続されており、読取制御部４８では、コントローラ１０から供給された制御信号ＣＴＤに基づいて走査制御信号ＲＣや出力制御信号ＳＣを生成する。この制御信号ＣＴＤに基づいて走査駆動部４４に供給されて、走査制御信号ＲＣに基づき走査線４１５-1〜４１５-mに対しての読取信号ＲＳの供給が行われる。また、出力制御信号ＳＣは画像データ生成部４６に供給される。この読取制御部４８からの走査制御信号ＲＣや出力制御信号ＳＣによって、例えば撮像パネル４１が上述のように（ｍ×ｎ）この検出素子４１２で構成されている場合には、検出素子４１２-(1,1)〜４１２-(m,n)からの電気信号ＳＶに基づくデータをデータＤＰ(1,1)〜ＤＰ8m,n)とすると、データＤＰ(1,1)、ＤＰ(1,2)、・・・・・ＤＰ(1,n)、ＤＰ(2,1)、・・・・・、ＤＰ(m,n)の順として画像データＤＴが生成されて、この画像データが生成されて、この画像データＤＴが画像データ生成部４６から読取制御部４８に供給される。また、読取制御部４８では、この画像データＤＴをコントローラ１０に送出する処理も行う。
【手続補正３】
【補正対象書類名】明細書
【補正対象項目名】００３６
【補正方法】変更
【補正の内容】
【００３６】
放射線画像読取器４０で得られた画像データＤＴは、読取制御部４８を介したコントローラ１０に供給される。なお、放射線画像読取器４０で得られた画像データをコントローラ１０に供給する際に対数変換処理を行った画像データを供給すれば、コントローラ１０における画像データの処理を簡単にすることができる。
【手続補正４】
【補正対象書類名】明細書
【補正対象項目名】００３７
【補正方法】変更
【補正の内容】
【００３７】
また、放射線画像読取器４０はＦＰＤを用いたものに限られるものではなく、輝尽性蛍光体を用いたものであっても良い。図３は輝尽性蛍光体を用いた放射線画像読取器６０を用いた場合の構成を示しており、放射線が照射される変換パネル６１では、支持体上に輝尽性蛍光体層が輝尽性蛍光体の気相堆積あるいは輝尽性蛍光体塗料によって設けられる。この輝尽性蛍光体層は環境による悪影響及び損傷を遮断するために、保護部材によって遮蔽若しくは被覆されている。
【手続補正５】
【補正対象書類名】明細書
【補正対象項目名】００４０
【補正方法】変更
【補正の内容】
【００４０】
フィルタ６６は集光体６５より導入された光から輝尽発光波長領域の光のみを通過させるものであり、このフィルタ６６を通過した光は、フォトマルチプライヤ６７に入射される。フォトマルチプライヤ６７では、光電変換によって入射光に対応した電流信号を生成する。この電流信号は、電流／電圧変換部７０に供給されて電圧信号に変換される。さらに、電圧信号は増幅部７１で増幅された後、Ａ／Ｄ変換部７２でディジタルの画像データＤＴに変換される。ここで、増幅部７１として対数変換増幅部（ｌｏｇアンプ）を用いる。画像データＤＴは、画像処理装置８０において順次画像処理されて、画像処理後の画像データＤＴＣがインターフェース８２を介してプリンタ８３に伝送される。
【手続補正６】
【補正対象書類名】明細書
【補正対象項目名】００４１
【補正方法】変更
【補正の内容】
【００４１】
ＣＰＵ（Ｃｅｎｔｒａｌ  Ｐｒｏｃｅｓｓｉｎｇ  Ｕｎｉｔ）１１は、画像処理装置８０における画像処理を制御するためのものであり、画像処理装置８０では、画像データＤＴに対して種々の画像処理（例えば空間周波数処理、ダイナミックレンジの圧縮、階調処理、拡大／縮小、移動、回転、統計処理等）を行い、診断に適した形の画像データＤＴＣを生成する。この画像データＤＴＣがプリンタ８３に供給されて、プリンタ８３から人体各部の放射線画像のハードコピーを得ることができる。なお、インターフェース８２にＣＲＴ等のモニタを接続するものとしても良く、更に複数の放射線画像の画像データを記憶できる記憶装置（ファイリングシステム）を接続するものとしても良い。
【手続補正７】
【補正対象書類名】明細書
【補正対象項目名】００４４
【補正方法】変更
【補正の内容】
【００４４】
次に、コントローラ１０の構成を図４に示す。コントローラ１０の動作を制御するためのＣＰＵ（Ｃｅｎｔｒａｌ  Ｐｒｏｃｅｓｓｉｎｇ  Ｕｎｉｔ）１１にはシステムバス１２と画像バス１３が接続されると共に、入力インタフェース１７が接続される。このコントローラ１０の動作を制御するためのＣＰＵ１１は、メモリ１４に記憶された制御プログラムに基づいて動作が制御される。システムバス１２と画像バス１３には、表示制御部１５、フレームメモリ制御部１６、出力インタフェース１８、撮影制御部１９、ディスク制御部２０等が接続されており、システムバス１２を利用しＣＰＵ１１によって各部の動作が制御されると共に、画像バス１３を介して各部間での画像データの転送等が行われる。
【手続補正８】
【補正対象書類名】明細書
【補正対象項目名】００４７
【補正方法】変更
【補正の内容】
【００４７】
フレームメモリ２１からディスク制御部２０に画像データが供給される際には、例えば連続して画像データが読み出されてディスク制御部２０内のＦＩＦＯメモリに書き込まれ、その後順次ディスク装置２３に記録される。さらに、フレームメモリ２１から読み出された画像データやディスク装置２３から読み出された画像データを出力インターフェース１８を介して外部機器９０に供給することもできる。
【手続補正９】
【補正対象書類名】明細書
【補正対象項目名】００５１
【補正方法】変更
【補正の内容】
【００５１】
次に、動作について説明する。被写体５の放射線画像を得る際には、放射線発生器３０と放射線画像読取器４０の撮像パネル４１の間に被写体５が位置するものとされて、放射線発生器３０から放射された放射線が被写体５に照射されると共に、被写体５を透過した放射線画撮像パネル４１に入射される。なお、放射線画像読取器４０に替えて放射線画像読取器６０を用いた場合の説明は省略する。
【手続補正１０】
【補正対象書類名】明細書
【補正対象項目名】００６９
【補正方法】変更
【補正の内容】
【００６９】
また、特にマンモグラムの場合、図１２に示すように、同一の撮影方向の２枚の画像を向い合うように一枚の画像で出力した場合、２つの画像の間に高輝度（低濃度）な領域がなくなるため、比較読影が容易になり、診断性能の向上を期待できる。図１２（ａ）は、左右の胸筋領域のＭＬＯ方向（乳房を斜めに挟んで撮影する方向）の撮影によって写るものであり、図９（ｂ）は、左右の胸筋領域のＣＣ方向（乳房を上下に挟んで撮影する方向）の撮影によって写るものである。
【手続補正１１】
【補正対象書類名】図面
【補正対象項目名】図７
【補正方法】変更
【補正の内容】
【図７】
2001222084.tif 000001
【手続補正１２】
【補正対象書類名】図面
【補正対象項目名】図８
【補正方法】変更
【補正の内容】
【図８】
2001222084.tif 000002